(57)【特許請求の範囲】
【請求項１】
受信信号におけるＣＮＧ（コーリングトーン）の有無を検出する検出手段と、
発呼処理後、受信信号における相手端末からの識別信号を監視する識別信号監視手段と、
発呼処理後、前記識別信号監視手段により識別信号が検出されるまでの間に前記検出手段でＣＮＧが検出された場合、回線接続を切断する切断手段と、を備えたことを特徴とするファクシミリ装置。
【請求項２】
ファクシミリ送信処理を行う送信手段を備え、
前記送信手段は、前記検出手段でＣＮＧが検出されることなく前記識別信号監視手段により識別信号が検出された場合にファクシミリ送信処理を行うことを特徴とする請求項１記載のファクシミリ装置。
【請求項３】
受信信号におけるＣＮＧ（コーリングトーン）の有無を検出し、
発呼処理後、受信信号における相手端末からの識別信号を監視し、
発呼処理後、識別信号が検出されるまでの間にＣＮＧが検出された場合、回線接続を切断する、ことを特徴とする通信制御方法。
【請求項４】
ファクシミリ装置のコンピュータに、
受信信号におけるＣＮＧ（コーリングトーン）の有無を検出する処理と、
発呼処理後、受信信号における相手端末からの識別信号を監視する処理と、
発呼処理後、識別信号が検出されるまでの間にＣＮＧが検出された場合、回線接続を切断する処理と、を実行させることを特徴とするファクシミリ装置のプログラム。
【発明の詳細な説明】
【技術分野】
【０００１】
本発明は、ファクシミリ装置、通信制御方法、および装置のプログラムに関する。
【背景技術】
【０００２】
一般に、ファクシミリ装置等の通信で、ユーザにより指定された送信先に対して発呼したタイミングでたまたま自装置に対して発呼してくる他端末がある場合など、自装置からの発呼と自装置への着呼が衝突してしまうことがある。こうした発着呼衝突が発生した場合、一般にファクシミリ装置は、送信動作から受信動作に自動で移行する。
【０００３】
また、従来のファクシミリ装置として、発呼と着呼が衝突した場合でも発呼を優先するため、相手先端末からのダイヤルトーンが検出されない場合にＣＮＧ（コーリングトーン）の有無を検出し、ＣＮＧが検出されない場合にダイヤルパルスを送信し、ＦＡＸ送信を行うものがある（例えば、特許文献１参照）。
【先行技術文献】
【特許文献】
【０００４】
【特許文献１】特開２００４−１１２５５７号公報
【発明の概要】
【発明が解決しようとする課題】
【０００５】
しかしながら、上述した従来のファクシミリ装置で発着呼衝突が発生した場合、自装置に対して発呼してきた他端末が送信動作から受信動作に自動で移行してしまい、結果的に、ユーザが指定した送信先ではなく、たまたま発呼してきて発着呼衝突した別な端末にドキュメントが誤送信されてしまう虞があった。
【０００６】
また、上述した特許文献１のものは、ダイヤルトーンが検出された時点でＣＮＧの検出を止めてダイヤルパルスの送信に移行するものであり、ダイヤルトーン検出後の発着呼衝突による誤送信を防止することについてまで考慮されたものではなかった。
すなわち、通信相手先端末からのダイヤルトーンを検出し、ダイヤル番号を発呼したとしても、そのダイヤル番号を交換機が認識する前に交換機が自装置に対して着信動作してきた場合には、発着呼衝突が発生することとなり、上述のような誤送信を引き起こす虞があった。
このように、ダイヤルトーンを検出してダイヤル発呼した後に他端末がＣＮＧを送信してきた場合の誤接続を防止することについてまで考慮されたものではなかった。
【０００７】
本発明はこのような状況に鑑みてなされたものであり、仮に発呼後に発着呼衝突が発生した場合であっても、誤接続の発生を確実に防止することができるファクシミリ装置、通信制御方法、および装置のプログラムを提供することを目的とする。
【課題を解決するための手段】
【０００８】
かかる目的を達成するために、本発明に係るファクシミリ装置は、受信信号におけるＣＮＧの有無を検出する検出手段と、発呼処理後に検出手段でＣＮＧが検出された場合、回線接続を切断する切断手段と、を備えたことを特徴とする。
【０００９】
また、本発明に係る通信制御方法は、受信信号におけるＣＮＧの有無を発呼処理後に監視するＣＮＧ監視工程と、ＣＮＧ監視工程でＣＮＧが検出された場合、回線接続を切断する切断工程と、を備えたことを特徴とする。
【００１０】
また、本発明に係るプログラムは、受信信号におけるＣＮＧの有無を発呼処理後に監視するＣＮＧ監視手順と、ＣＮＧ監視手順でＣＮＧが検出された場合、回線接続を切断する切断手順と、をファクシミリ装置のコンピュータに実行させることを特徴とする。
【発明の効果】
【００１１】
以上のように、本発明によれば、仮に発呼後に発着呼衝突が発生した場合であっても、誤接続の発生を確実に防止することができる。
【図面の簡単な説明】
【００１２】
【図１】本発明の実施形態としてのファクシミリ装置の構成例を示すブロック図である。
【図２】本実施形態としてのファクシミリ装置の動作例を示すフローチャートである。
【発明を実施するための形態】
【００１３】
次に、本発明に係るファクシミリ装置、通信制御方法、および装置のプログラムを適用した一実施形態について、図面を用いて詳細に説明する。
【００１４】
本実施形態のファクシミリ装置は、自装置が発呼した際に、他端末が自装置に対してＣＮＧを送信して発呼動作をしていると判断した場合、回線を切断し、ＣＮＧを送信してきていた他端末が送信動作から受信動作に移行してもドキュメントを送信しないようにする。
このため、ダイヤル発呼後の受信信号を監視し、ＣＮＧが検出された場合、回線を開放し、誤接続を確実に防止する。
【００１５】
次に、本実施形態としてのファクシミリ装置の構成について、図１を参照して説明する。図１は、本発明の実施形態としてのファクシミリ装置の構成例を示すブロック図である。
【００１６】
符合１はファクシミリ装置の通信制御部である。
符合２は通信制御部内の信号送出制御部である。信号送出制御部２ではモデム５から送出するためのデータを作成し、必要な信号の間隔を信号毎に調整し、モデム５に通知する。
【００１７】
符合３は通信制御部内の信号解析制御部である。モデム５で受けた信号を解析し、受信した信号を特定し、対応する信号の情報を信号送出制御部２に通知する。
符合４はトーン（トーナル信号）検出制御部である。モデム５で受信されたトーンの周波数や周期を解析し、トーンの種別を判別する。
【００１８】
符合５は公衆電話網（ＰＳＴＮ）を介して通信相手先のファクシミリ装置との間で送受信される信号や画像データを変調・復調するモデムである。
符合６はＰＳＴＮに接続するための回線制御部（ＮＣＵ）である。回線の接続と切断を行う。
【００１９】
次に、本実施形態としてのファクシミリ装置の動作例について、図２を参照して説明する。
【００２０】
ファクシミリ装置は、送信指示の入力等のトリガにより原稿のファクシミリ送信を行う場合、まず、ダイヤル発呼処理としてＮＣＵ６が送信先のダイヤル番号（ＤＰ／ＰＢ）を回線に送出する（ステップＳ１）。
【００２１】
指定された送信先番号の情報を回線に送出した後、トーン検出制御部４は、受信信号からＣＮＧが検出されるか否かを監視する（ステップＳ２）。
受信信号からＣＮＧが検出された場合、誤送信になる可能性があるため、回線を切断する（ステップＳ５）。
【００２２】
トーン検出制御部４がＣＮＧを監視している際、信号受信制御部３は、被呼局識別信号（ＣＥＤ：Called StationIdentification signal）、被呼端末識別信号（ＣＳＩ：CalledSubscriber Identification signal）、ディジタル識別信号（ＤＩＳ：DigitalTransmit Command signal）といった相手端末の初期識別信号が検出されるか否かを監視する。受信信号からこうした初期識別信号を検出すると（ステップＳ３；Ｙｅｓ）、信号送出制御部２は所定のファクシミリ通信手順に従って信号を作成し、モデム５から信号を変調して応答する。こうして、トーン検出制御部４によるＣＮＧ監視を終了させ、ＦＡＸ送信処理を行う（ステップＳ４）。
【００２３】
以上のように、上述した実施形態によれば、発呼後に受信信号からＣＮＧを検出した場合にドキュメントを送信せず、回線を切断することで、誤接続が発生する可能性を回避する。
このため、たまたま発呼してきた他端末への誤送信を確実に防止することができる。
【００２４】
なお、上述した各実施形態は本発明の好適な実施形態であり、本発明はこれに限定されることなく、本発明の技術的思想に基づいて種々変形して実施することが可能である。
【００２５】
また、上述した実施形態としてのファクシミリ装置を実現するための処理手順をプログラムとして記録媒体に記録することにより、本発明の実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばハードディスク、光ディスク、光磁気ディスク、フロッピー（登録商標）ディスク、磁気テープ、不揮発性のメモリーカード、ＲＯＭ等を用いてよい。
【００２６】
この本発明に係るプログラムによれば、当該プログラムによって制御されるファクシミリ装置に、上述した実施形態における各機能を実現させることができる。
【００２７】
〔付記〕
上記の実施形態の一部または全部は、以下の付記のようにも記載されうるが、以下に限定されるものではない。
【００２８】
〔付記１〕
受信信号におけるＣＮＧ（コーリングトーン）の有無を検出する検出手段と、
発呼処理後に前記検出手段でＣＮＧが検出された場合、回線接続を切断する切断手段と、を備えたことを特徴とするファクシミリ装置。
【００２９】
〔付記２〕
発呼処理後、受信信号における相手端末からの識別信号を監視する識別信号監視手段を備え、
前記切断手段は、発呼処理後、前記識別信号監視手段により識別信号が検出されるまでの間に前記検出手段でＣＮＧが検出された場合、回線接続を切断することを特徴とする付記１記載のファクシミリ装置。
【００３０】
〔付記３〕
ファクシミリ送信処理を行う送信手段を備え、
前記送信手段は、前記検出手段でＣＮＧが検出されることなく前記識別信号監視手段により識別信号が検出された場合にファクシミリ送信処理を行うことを特徴とする付記２記載のファクシミリ装置。
【００３１】
〔付記４〕
受信信号におけるＣＮＧ（コーリングトーン）の有無を発呼処理後に監視するＣＮＧ監視工程と、
前記ＣＮＧ監視工程でＣＮＧが検出された場合、回線接続を切断する切断工程と、を備えたことを特徴とする通信制御方法。
【００３２】
〔付記５〕
発呼処理後、受信信号における相手端末からの識別信号を監視する識別信号監視工程を備え、
前記切断工程では、発呼処理後、前記識別信号監視工程により識別信号が検出されるまでの間に前記ＣＮＧ監視工程でＣＮＧが検出された場合、回線接続を切断することを特徴とする付記４記載の通信制御方法。
【００３３】
〔付記６〕
前記ＣＮＧ監視工程でＣＮＧが検出されることなく前記識別信号監視工程により識別信号が検出された場合、ファクシミリ送信処理を行う送信工程を備えたことを特徴とする付記５記載の通信制御方法。
【００３４】
〔付記７〕
受信信号におけるＣＮＧ（コーリングトーン）の有無を発呼処理後に監視するＣＮＧ監視手順と、
前記ＣＮＧ監視手順でＣＮＧが検出された場合、回線接続を切断する切断手順と、をファクシミリ装置のコンピュータに実行させることを特徴とするプログラム。
【００３５】
〔付記８〕
発呼処理後、受信信号における相手端末からの識別信号を監視する識別信号監視手順を前記ファクシミリ装置のコンピュータに実行させ、
前記切断手順では、発呼処理後、前記識別信号監視手順により識別信号が検出されるまでの間に前記ＣＮＧ監視手順でＣＮＧが検出された場合、回線接続を切断することを特徴とする付記７記載のプログラム。
【００３６】
〔付記９〕
前記ＣＮＧ監視手順でＣＮＧが検出されることなく前記識別信号監視手順により識別信号が検出された場合、ファクシミリ送信処理を行う送信手順を前記ファクシミリ装置のコンピュータに実行させることを特徴とする付記８記載のプログラム。
【符号の説明】
【００３７】
１    通信制御部
２    信号送出制御部
３    信号受信制御部
４    トーン検出制御部
５    モデム
６    ＮＣＵ
【図１】
0005749515.tif 000002
【図２】
0005749515.tif 000003